(57)【特許請求の範囲】
【請求項１】
ユーザの肌の状態の測定結果を表す情報を取得する取得部と、
前記測定結果の複数の項目がそれぞれ割り当てられた同一形状かつ同一サイズの複数の領域が、それぞれの前記領域の間に隙間が形成されるように、所定の位置を中心として各方向に視認可能な状態で表示されるとともに、それぞれの前記領域の内側に、前記項目のスコアを表すスコア画像が、スコアに応じたサイズを有し、前記所定の位置から膨出するように表示されることによって構成されるチャート画像を表示させる提示部と
を備える情報処理装置。
【請求項２】
前記提示部は、それぞれの前記領域の内側に配置する前記スコア画像をそれぞれ異なる色で表示させる
請求項１に記載の情報処理装置。
【請求項３】
前記提示部は、異なるスコアを表す前記スコア画像の形状をほぼ相似形状として前記チャート画像を表示させる
請求項１または２に記載の情報処理装置。
【請求項４】
前記提示部は、基準となるスコアを表す情報をそれぞれの前記領域の内側に配置した前記チャート画像を表示させる
請求項１乃至３のいずれかに記載の情報処理装置。
【請求項５】
前記提示部は、前記測定結果に含まれる所定の情報の表示領域を中心として前記複数の領域を配置した前記チャート画像を表示させる
請求項１乃至４のいずれかに記載の情報処理装置。
【請求項６】
前記提示部は、前記ユーザの肌の状態の総合評価を表す情報を前記表示領域に表示させる
請求項５に記載の情報処理装置。
【請求項７】
前記提示部は、スコアを表示させる前記項目の数が切り替えられることに応じて、前記チャート画像を構成する前記領域の数を切り替える
請求項１乃至６のいずれかに記載の情報処理装置。
【請求項８】
前記提示部は、複数の前記チャート画像を測定順に並べて表示させる
請求項１乃至７のいずれかに記載の情報処理装置。
【請求項９】
前記提示部は、前記チャート画像を、前記ユーザの肌の状態の総合評価に応じた高さの棒状の画像の上方に表示させる
請求項８に記載の情報処理装置。
【請求項１０】
前記提示部は、前記チャート画像を、前記ユーザの生活習慣に関する情報とともに表示させる
請求項１乃至９のいずれかに記載の情報処理装置。
【請求項１１】
前記提示部は、前記ユーザの肌の状態の総合評価に応じた高さを有する棒状の画像の上に配置した前記チャート画像を、領域の境界を表す境界画像の上方に表示させ、前記棒状の画像の延長上の前記境界画像を挟んだ位置に、前記ユーザの生活習慣を棒グラフで表したグラフ画像を表示させる
請求項１０に記載の情報処理装置。
【請求項１２】
前記提示部は、それぞれ異なるユーザの肌の状態の測定結果を表す複数の前記チャート画像を同一画面に表示させる
請求項１乃至１１のいずれかに記載の情報処理装置。
【請求項１３】
前記提示部は、複数の前記チャート画像を、肌の状態の前記測定結果がよい順に並べて表示させる
請求項１２に記載の情報処理装置。
【請求項１４】
前記チャート画像を構成する前記領域は、略花びら形状の領域である
請求項１乃至１３のいずれかに記載の情報処理装置。
【請求項１５】
ユーザの肌の状態の測定結果を表す情報を取得し、
前記測定結果の複数の項目がそれぞれ割り当てられた同一形状かつ同一サイズの複数の領域が、それぞれの前記領域の間に隙間が形成されるように、所定の位置を中心として各方向に視認可能な状態で表示されるとともに、それぞれの前記領域の内側に、前記項目のスコアを表すスコア画像が、スコアに応じたサイズを有し、前記所定の位置から膨出するように表示されることによって構成されるチャート画像を表示させる
ステップを含む情報処理方法。
【請求項１６】
ユーザの肌の状態の測定結果を表す情報を取得し、
前記測定結果の複数の項目がそれぞれ割り当てられた同一形状かつ同一サイズの複数の領域が、それぞれの前記領域の間に隙間が形成されるように、所定の位置を中心として各方向に視認可能な状態で表示させるとともに、それぞれの前記領域の内側に、前記項目のスコアを表すスコア画像が、スコアに応じたサイズを有し、前記所定の位置から膨出するように表示されることによって構成されるチャート画像を表示させる
ステップを含む処理をコンピュータに実行させるプログラム。
【発明の詳細な説明】
【技術分野】
【０００１】
本技術は、情報処理装置、情報処理方法、およびプログラムに関し、特に、肌の状態の測定結果を、直観的に、かつ容易に確認することができるようにした情報処理装置、情報処理方法、およびプログラムに関する。
【背景技術】
【０００２】
肌を撮影することによって得られた肌画像を画像処理によって解析し、肌の状態を測定する技術がある。肌の状態の測定を行う者は、撮像素子を搭載した測定器を被測定者の顔などに当て、測定部分の撮影を行うことになる。
【０００３】
被測定者は、肌の状態の測定後、ディスプレイに表示された画面を見るなどして測定結果を確認する。測定結果の表示画面には、シミの状態、キメの状態、毛穴の状態などの各項目の測定結果が、数字、折れ線グラフ、レーダーチャートなどによって表示される。
【先行技術文献】
【特許文献】
【０００４】
【特許文献１】特開２０１２−２３９７６８号公報
【発明の概要】
【発明が解決しようとする課題】
【０００５】
数字、折れ線グラフ、レーダーチャートなどによる従来の表示の仕方は、理論的ではあるが数学術的な表現であり、測定結果が良いのか悪いのかを被測定者が直観的には理解できない。また、良い結果であったとしても、嬉しさ等の感情を喚起することが難しい。
【０００６】
本技術はこのような状況に鑑みてなされたものであり、肌の状態の測定結果を、直観的に、かつ容易に確認することができるようにするものである。
【課題を解決するための手段】
【０００７】
本技術の一側面の情報処理装置は、ユーザの肌の状態の測定結果を表す情報を取得する取得部と、前記測定結果の複数の項目がそれぞれ割り当てられた同一形状かつ同一サイズの複数の領域が、それぞれの前記領域の間に隙間が形成されるように、所定の位置を中心として各方向に視認可能な状態で表示されるとともに、それぞれの前記領域の内側に、前記項目のスコアを表すスコア画像が、スコアに応じたサイズを有し、前記所定の位置から膨出するように表示されることによって構成されるチャート画像を表示させる提示部とを備える。
【０００８】
前記提示部には、それぞれの前記領域の内側に配置する前記スコア画像をそれぞれ異なる色で表示させることができる。
【０００９】
前記提示部には、異なるスコアを表す前記スコア画像の形状をほぼ相似形状として前記チャート画像を表示させることができる。
【００１０】
前記提示部には、基準となるスコアを表す情報をそれぞれの前記領域の内側に配置した前記チャート画像を表示させることができる。
【００１１】
前記提示部には、前記測定結果に含まれる所定の情報の表示領域を中心として前記複数の領域を配置した前記チャート画像を表示させることができる。
【００１２】
前記提示部には、前記ユーザの肌の状態の総合評価を表す情報を前記表示領域に表示させることができる。
【００１３】
前記提示部には、スコアを表示させる前記項目の数が切り替えられることに応じて、前記チャート画像を構成する前記領域の数を切り替えさせることができる。
【００１４】
前記提示部には、複数の前記チャート画像を測定順に並べて表示させることができる。
【００１５】
前記提示部には、前記チャート画像を、前記ユーザの肌の状態の総合評価に応じた高さの棒状の画像の上方に表示させることができる。
【００１６】
前記提示部には、前記チャート画像を、前記ユーザの生活習慣に関する情報とともに表示させることができる。
【００１７】
前記提示部には、前記ユーザの肌の状態の総合評価に応じた高さを有する棒状の画像の上に配置した前記チャート画像を、領域の境界を表す境界画像の上方に表示させ、前記棒状の画像の延長上の前記境界画像を挟んだ位置に、前記ユーザの生活習慣を棒グラフで表したグラフ画像を表示させることができる。
【００１８】
前記提示部には、それぞれ異なるユーザの肌の状態の測定結果を表す複数の前記チャート画像を同一画面に表示させることができる。
【００１９】
前記提示部には、複数の前記チャート画像を、肌の状態の前記測定結果がよい順に並べて表示させることができる。
【００２０】
前記チャート画像を構成する前記領域を、略花びら形状の領域とすることができる。
【００２１】
本技術の一側面においては、ユーザの肌の状態の測定結果を表す情報が取得され、前記測定結果の複数の項目がそれぞれ割り当てられた同一形状かつ同一サイズの複数の領域が、それぞれの前記領域の間に隙間が形成されるように、所定の位置を中心として各方向に視認可能な状態で表示されるとともに、それぞれの前記領域の内側に、前記項目のスコアを表すスコア画像が、スコアに応じたサイズを有し、前記所定の位置から膨出するように表示されることによって構成されるチャート画像が表示される。
【発明の効果】
【００２２】
本技術によれば、肌の状態の測定結果を、直観的に、かつ容易に確認することができる。
【００２３】
なお、ここに記載された効果は必ずしも限定されるものではなく、本開示中に記載されたいずれかの効果であってもよい。
【図面の簡単な説明】
【００２４】
【図１】本技術を適用した肌解析システムの構成例を示す図である。
【図２】肌測定器の外観を示す図である。
【図３】肌測定器の内部の構成例を示す断面図である。
【図４】照明部の構成例を示す図である。
【図５】測定結果表示画面の第１の表示例を示す図である。
【図６】花びらチャートを拡大して示す図である。
【図７】スコア画像の表示例を示す図である。
【図８】花びらチャートの表示例を示す図である。
【図９】花びらチャートの表示例を示す図である。
【図１０】測定結果表示画面の第２の表示例を示す図である。
【図１１】図１０の測定結果表示画面に表示される画像を拡大して示す図である。
【図１２】測定結果表示画面の第３の表示例を示す図である。
【図１３】測定結果表示画面の第４の表示例を示す図である。
【図１４】測定結果表示画面の第５の表示例を示す図である。
【図１５】花びらチャートの表示例を示す図である。
【図１６】花びら領域の数の切り替えの例を示す図である。
【図１７】花びらチャートの表示開始直後のアニメーションの例を示す図である。
【図１８】測定結果表示画面の第６の表示例を示す図である。
【図１９】花びらチャートのアニメーションを示す図である。
【図２０】測定結果表示画面の第７の表示例を示す図である。
【図２１】測定結果表示画面の第８の表示例を示す図である。
【図２２】根画像を拡大して示す図である。
【図２３】ライフログの入力画面の例を示す図である。
【図２４】花びらチャートの変形例を示す図である。
【図２５】花びらチャートの変形例を示す図である。
【図２６】図２５Ｂの花びらチャートの表示例を示す図である。
【図２７】図２５Ｂの花びらチャートの表示例を示す図である。
【図２８】花びらチャートの他の変形例を示す図である。
【図２９】花びらチャートのさらに他の変形例を示す図である。
【図３０】花びらチャートの表示例を示す図である。
【図３１】花びらチャートの他の表示例を示す図である。
【図３２】花びらチャートの他の表示例を示す図である。
【図３３】測定結果の表示例を示す図である。
【図３４】肌測定器の構成例を示すブロック図である。
【図３５】情報処理端末のハードウェア構成例を示すブロック図である。
【図３６】情報処理端末の機能構成例を示すブロック図である。
【図３７】解析サーバのハードウェア構成例を示すブロック図である。
【図３８】解析サーバの機能構成例を示すブロック図である。
【図３９】シミ解析部の構成例を示すブロック図である。
【図４０】メラニンシミ解析部の構成例を示すブロック図である。
【図４１】メラニンの吸光特性を示す図である。
【図４２】正規化関数の例を示す図である。
【図４３】他の正規化関数の例を示す図である。
【図４４】赤みシミ解析部の構成例を示すブロック図である。
【図４５】ヘモグロビンの吸光特性を示す図である。
【図４６】正規化関数の例を示す図である。
【図４７】他の正規化関数の例を示す図である。
【図４８】毛穴解析部の構成例を示すブロック図である。
【図４９】特徴部分解析部の構成例を示すブロック図である。
【図５０】情報処理端末の肌画像送信処理について説明するフローチャートである。
【図５１】解析サーバの肌状態解析処理について説明するフローチャートである。
【図５２】情報処理端末の測定結果表示処理について説明するフローチャートである。
【図５３】肌解析システムの他の構成例を示す図である。
【図５４】肌解析システムのさらに他の構成例を示す図である。
【図５５】測定結果表示画面の第９の表示例を示す図である。
【図５６】測定結果表示画面の第１０の表示例を示す図である。
【図５７】測定結果表示画面の第１１の表示例を示す図である。
【図５８】携帯電話機における表示例を示す図である。
【図５９】携帯電話機における表示例を示す図である。
【図６０】携帯電話機における表示例を示す図である。
【図６１】携帯電話機における表示例を示す図である。
【図６２】携帯電話機における表示例を示す図である。
【図６３】肌測定器における表示例を示す図である。
【図６４】腕時計型の携帯端末における表示例を示す図である。
【図６５】指輪型の携帯端末における表示例を示す図である。
【図６６】投影システムにおける表示例を示す図である。
【図６７】画像表示機における表示例を示す図である。
【発明を実施するための形態】
【００２５】
以下、本技術を実施するための形態について説明する。説明は以下の順序で行う。
・第１の実施の形態（肌の状態の解析をサーバが行う例）
１．肌解析システムの構成
２．測定結果表示画面の表示例
３．各機器の構成
４．各機器の動作
・第２の実施の形態（肌の状態の解析を情報処理端末が行う例）
・第３の実施の形態（複数のユーザの測定結果を表示する例）
・変形例
１．他の機器における表示例
２．その他の例
【００２６】
＜＜第１の実施の形態＞＞
＜１．肌解析システムの構成＞
図１は、本技術を適用した肌解析システムの構成例を示す図である。
【００２７】
図１の肌解析システムは、情報処理端末１、肌測定器２、および解析サーバ３から構成される。情報処理端末１と解析サーバ３は、インターネットなどのネットワーク４を介して接続される。情報処理端末１は、Wi-Fi（登録商標）ルータなどの中継装置４Ａを介してネットワーク４に接続される。
【００２８】
情報処理端末１と肌測定器２は無線LAN(Local Area Network)などの無線通信を介して接続される。情報処理端末１と肌測定器２が、USB(Universal Serial Bus)ケーブルなどを用いた有線の通信を介して接続されるようにしてもよい。また、肌測定器２がネットワーク４に直接接続され、肌測定器２と解析サーバ３との間で通信を行うことができるようにしてもよい。
【００２９】
図１の肌解析システムは、ユーザが、主に１人で、自分の肌の状態を測定し、測定結果を確認するために用いられる。ユーザは、肌の状態の測定者であり、被測定者でもある。肌の状態の測定は、美容部員などの第三者を介して行われることもある。
【００３０】
情報処理端末１は、タブレット型の携帯端末である。情報処理端末１の筐体にはLCD(Liquid Crystal Display)などのディスプレイが設けられる。ディスプレイにはタッチパネルが設けられる。ユーザは、ディスプレイに表示されたボタンなどを指で直接触れて操作することができる。パーソナルコンピュータ、スマートフォン、携帯電話機、HMD(Head Mounted Display)などの他の携帯端末が情報処理端末１として用いられるようにしてもよい。
【００３１】
情報処理端末１は、肌測定器２により撮影された肌画像を取得する。肌画像は、ユーザの顔などの所定の位置の皮膚が拡大して写る画像である。額、頬、口元などの測定ポイントの肌画像が情報処理端末１により取得される。
【００３２】
額、頬、口元などの狭い範囲ではなく、顔全体を測定ポイントとすることも可能である。この場合、顔全体を撮影可能なカメラにより撮影された、ユーザの顔全体が写る画像が肌画像として情報処理端末１により取得される。
【００３３】
肌測定器２は、ユーザが片手で持つことができる程度の大きさの電子機器である。肌測定器２には、撮像素子、体温センサなどの各種のセンサが設けられる。ここで、肌測定器２の構成について説明する。
【００３４】
図２は、肌測定器２の外観を示す図である。
【００３５】
図２Ａに示すように、肌測定器２は、側面視において略横長楕円形の筐体を有する。筐体の右端の頂部から若干ずれた位置には平面が形成され、この平面に、図２Ｂに示すように略円形の孔部２１が形成される。肌測定器２の筐体の孔部２１の周り以外は、全体的に曲面により構成される。
【００３６】
孔部２１の奥には、孔部２１の外に向けて光を照射する照明部、反射光を受けて撮影を行う撮像素子などが設けられる。ユーザは、自分の肌の状態を測定するとき、孔部２１を測定部分に当てて撮影を行うことになる。
【００３７】
図３は、肌測定器２の内部の構成例を示す断面図である。
【００３８】
肌測定器２は、照明部３１、筒部３２、レンズ３３、および撮像素子３４を有する。レンズ３３と撮像素子３４は筐体の内部に設けられる。照明部３１は、筒部３２の内部に設けられる。
【００３９】
照明部３１から照射された光は肌表面Ｆａに到達する。また、肌表面Ｆａによって反射された光は、レンズ３３を通過して撮像素子３４に到達する。このとき、筒部３２が肌表面Ｆａに密着されていれば、照明部３１から照射された光が肌測定器２の外側に漏れてしまうことを防ぐことが可能になる。また、肌測定器２の内側に入り込んでくる光が撮像素子３４に到達してしまうことを防ぐことが可能になる。
【００４０】
図４は、照明部３１の構成例を示す図である。
【００４１】
照明部３１は、複数の光源であるLED(Light Emitting Diode)1〜LEDNがリング状に配置されることによって構成される。光源の種類はLEDに限定されるものではない。各LEDに偏光フィルタなどを適宜設けることにより、波長を変えるなどの異なる撮影条件での撮影が可能になる。
【００４２】
図１の情報処理端末１は、このような構成を有する肌測定器２から取得した肌画像を解析サーバ３に送信し、肌状態の解析を行わせる。解析サーバ３に対しては、異なる撮影条件で撮影された複数の肌画像が送信される。
【００４３】
解析サーバ３は、情報処理端末１から送信されてきた肌画像に基づいて、ユーザの肌の状態を測定する。解析サーバ３は、肌の状態の測定結果を表す情報を情報処理端末１に送信する。例えば、キメ、毛穴、シミ、色みなどの、肌の複数の項目の状態が測定される。解析サーバ３は、肌画像を画像処理によって解析し、肌の状態を測定する情報処理装置として機能する。
【００４４】
情報処理端末１は、解析サーバ３から送信されてきた情報を受信し、測定結果表示画面をディスプレイに表示する。測定結果表示画面は、肌の状態の測定結果を表示する画面である。後述するように、肌の状態の測定を情報処理端末１自身が行い、測定結果表示画面を表示するようにしてもよい。
【００４５】
＜２．測定結果表示画面の表示例＞
２−１．１つのチャート画像を表示する例
図５は、測定結果表示画面の第１の表示例を示す図である。
【００４６】
図５の測定結果表示画面は、情報処理端末１のディスプレイ５１に表示される画面である。測定結果表示画面を構成する要素のレイアウトは適宜変更可能である。
【００４７】
測定結果表示画面の左方には、正面を向いている人物の顔のイラスト６１が表示される。イラスト６１上の額の位置にはアイコン６１Ａが表示され、頬の位置にはアイコン６１Ｂが表示される。また、口元の位置にはアイコン６１Ｃが表示される。アイコン６１Ａ乃至６１Ｃには、例えば、各位置の肌の状態の測定結果としての肌年齢を表す数字が表示される。
【００４８】
肌画像の撮影時、ディスプレイ５１には、肌画像の撮影を例えば額、頬、口元の順に行うことを案内する画面が表示される。その画面に従って撮影が行われることにより、情報処理端末１と解析サーバ３は、どの肌画像がどの位置の肌を撮影して得られた画像であるのかを特定することが可能になる。
【００４９】
図５の例においては、額の肌画像に基づいて測定された肌年齢は、実年齢に対して＋１歳の年齢とされている。ユーザは、肌の測定を行う前、自身の実年齢等の情報を登録している。図５の例においては、頬の肌画像に基づいて測定された肌年齢と口元の肌画像に基づいて測定された肌年齢は、それぞれ、実年齢に対して−５歳、−１０歳の年齢とされている。
【００５０】
測定結果表示画面の略中央には、肌の各項目の測定結果をチャート形式で表す画像である花びらチャート６２が表示される。図５の花びらチャート６２は、毛穴（pore）の状態、シミ（spot）の状態、キメ（texture）の状態のそれぞれの測定結果を表す画像である。花びらチャート６２により、額、頬、口元などの特定の位置の測定結果が表されるようにしてもよいし、顔全体の測定結果が表されるようにしてもよい。
【００５１】
花びらチャート６２は、略花びら状の領域である花びら領域７１乃至７３が３方向に向けて形成されることによって構成される。花びら領域７１乃至７３は、それぞれ、毛穴、シミ、キメの状態の測定結果が割り当てられた領域である。
【００５２】
花びら領域７１の上には、毛穴の状態の測定結果を表す「2.5」の数字が表示される。花びら領域７２の左下には、シミの状態の測定結果を表す「4.2」の数字が表示される。花びら領域７３の右下には、キメの状態の測定結果を表す「2.8」の数字が表示される。数字が高いほど、測定結果が良いことを表す。測定結果を表す数字を表示しないようにすることも可能である。花びらチャート６２の詳細については後述する。
【００５３】
測定結果表示画面の右方には、略縦長四角形状の領域６３が形成され、測定結果に関するコメントなどが表示される。領域６３の形状を他の形状とすることも可能である。
【００５４】
図６は、花びらチャート６２を拡大して示す図である。
【００５５】
上述したように、花びらチャート６２は、略花びら状として同一形状であり、かつ、略同一サイズの領域である花びら領域７１乃至７３が、花びらチャート６２の中心の位置を基準として３方向に向けて形成されることによって構成される。
【００５６】
毛穴の状態の測定結果が割り当てられた領域である花びら領域７１の内側には、毛穴の状態のスコア（評価値）を表す画像であるスコア画像７１Ａが表示される。スコア画像７１Ａは、花びら領域７１の形状と略相似形の画像であり、花びらチャート６２の中心の位置から膨出するように配置される。スコア画像７１Ａは、毛穴の状態のスコアに応じた大きさで表示される。スコアが高いほど、スコア画像７１Ａは大きく表示される。
【００５７】
スコア画像７１Ａの外側の点線は、毛穴の状態についての基準のスコアを表す。前回測定時のスコア、ユーザが予め設定しておいた目標のスコア、年代別の平均スコアなどが、基準のスコアとして点線で表示される。図６の例においては、今回の毛穴の状態の測定結果は基準のスコアより低い。
【００５８】
図７は、スコア画像７１Ａの表示例を示す図である。
【００５９】
花びら領域７１と同じ大きさを５点などのように最大スコアとして、毛穴の状態のスコアが例えば２点である場合、図７Ａに示すように、スコア画像７１Ａは花びら領域７１の大きさの２／５の大きさで表示される。
【００６０】
また、毛穴の状態のスコアが３点である場合、図７Ｂに示すように、スコア画像７１Ａは花びら領域７１の大きさの３／５の大きさで表示される。毛穴の状態のスコアが４．９点である場合、図７Ｃに示すように、スコア画像７１Ａは花びら領域７１の大きさの４．９／５の大きさで表示される。
【００６１】
花びら領域７２、花びら領域７３の表示も、花びら領域７１の表示と同様である。すなわち、シミの状態の測定結果が割り当てられた花びら領域７２の内側には、スコア画像７２Ａがシミの状態のスコアに応じた大きさで表示される。図６の例においては、スコア画像７２Ａにより表される今回の毛穴の状態の測定結果は、基準となるスコアより高い。
【００６２】
キメの状態の測定結果が割り当てられた花びら領域７３の内側には、スコア画像７３Ａがキメの状態のスコアに応じた大きさで表示される。図６の例においては、スコア画像７３Ａにより表される今回のキメの状態の測定結果は、基準となるスコアより低い。
【００６３】
毛穴、シミ、キメのそれぞれのスコアを比べた場合、図６の花びらチャート６２は、シミの状態のスコアが最も高く、毛穴の状態のスコアとキメの状態のスコアがほぼ同じスコアであることを表す。
【００６４】
例えば、スコア画像７１Ａ乃至７３Ａは、それぞれ、赤系の色、青系の色、緑系の色などの異なる色で表示される。スコア画像７１Ａ乃至７３Ａが同じ色で表示されるようにしてもよい。なお、花びら領域７１乃至７３が、それぞれスコア画像７１Ａ乃至７３Ａの色を薄くした色で表示されるようにしてもよいし、灰色などの同じ色で表示されるようにしてもよい。
【００６５】
図８は、花びらチャート６２の表示例を示す図である。
【００６６】
図８Ａの花びらチャート６２は、キメの状態のスコアが最も高く、毛穴の状態のスコアとシミの状態のスコアがほぼ同じスコアであることを表す。図８Ｂの花びらチャート６２は、図６と同様に、シミの状態のスコアが最も高く、毛穴の状態のスコアとキメの状態のスコアがほぼ同じスコアであることを表す。図８Ｃの花びらチャート６２は、毛穴の状態のスコアが最も高く、シミの状態のスコアとキメの状態のスコアがほぼ同じスコアであることを表す。
【００６７】
このように、測定結果表示画面には、全体として１つの花の印象をユーザに与え、肌の状態の各項目の測定結果を花びらの大きさで表す花びらチャートが表示される。花びらチャートは、肌の状態の測定結果を多くのユーザにとって親しみ易い花びらの大きさで表すものであり、「花が大きく開く」＝「良い結果」という直感的な連想を可能にするものである。
【００６８】
これにより、ユーザは、単に数字や棒グラフなどで測定結果が表示される場合に較べて、直感的に、かつ簡単に肌の状態を確認することができる。数字や棒グラフなどで測定結果を表す表現は無機質なものであり、人によっては、測定結果を詳細に確認することを無意識に避けてしまう可能性があるが、親しみやすい表現を用いることにより、そのようなことを防ぐことが可能になる。
【００６９】
また、親しみやすい表現を用いることにより、肌の状態の測定を継続的に行うことに対してユーザのモチベーションを高めることができる。
【００７０】
以上においては、花びら領域に基準のスコアが表されるものとしたが、図９に示すように基準のスコアを表示しないようにしてもよい。
【００７１】
図１０は、測定結果表示画面の第２の表示例を示す図である。
【００７２】
図１０の測定結果表示画面には、図５の花びらチャート６２に代えて、画像１０１が表示されている。画像１０１は、鉢植えの花の印象をユーザに与える画像である。
【００７３】
図１０に示す構成のうち、図５に示す構成と同じ構成には同じ符号を付してある。図１１以降においても同様である。重複する説明については適宜省略する。
【００７４】
図１１は、画像１０１を拡大して示す図である。
【００７５】
図１１に示すように、花びら領域７１乃至７３は、花びら領域７１乃至７３より小さい円形の領域である花芯領域１１１の位置を中心として形成される。花芯領域１１１は、花でいう花芯に相当する領域であり、例えば、肌の状態の総合評価を表す情報が表示される。このように、花びらチャートが、花びら領域７１乃至７３と花芯領域１１１から構成されるようにすることも可能である。
【００７６】
図１１の例においては、肌の状態の総合評価を表す情報として、ユーザの肌年齢が、実年齢に対して−１０歳の年齢であることを表す「−１０」の数字が花芯領域１１１に表示されている。肌年齢以外の情報が表示されるようにしてもよいし、花芯領域１１１に表示される情報が順次切り替わるようにしてもよい。
【００７７】
花芯領域１１１の下には、垂直方向に延びる棒状の画像である茎画像１１２が表示される。茎画像１１２の下には、鉢を表す逆台形状の画像である鉢画像１１３が表示される。鉢画像１１３には、例えばユーザの肌タイプの情報が表示される。肌タイプには、ノーマル肌、脂性肌、乾燥肌、混合肌などがある。
【００７８】
茎画像１１２の左右の鉢画像１１３の近い位置には、それぞれ、葉の形状の画像である葉画像１１４，１１５が表示される。葉画像１１４は肌の水分量の測定結果を表し、水分量に応じた大きさで表示される。図１１の例においては、肌の水分量の測定結果は「30」とされている。一方、葉画像１１５は肌の油分量の測定結果を表し、油分量に応じた大きさで表示される。図１１の例においては、肌の油分量の測定結果は「60」とされている。
【００７９】
毛穴、シミ、キメの状態は、通常、水分量、油分量などの日々変動する項目の状態をベースとして変化する。言い換えると、毛穴、シミ、キメの状態は、水分量、油分量などの日々変動する項目の状態の影響を受けることになる。毛穴、シミ、キメの状態に影響を与える項目の測定結果を葉を模した形で表示し、毛穴、シミ、キメの状態の測定結果を花びらで表示することにより、各項目の関係をわかりやすく表現することが可能になる。
【００８０】
また、肌の水分量、油分量は、肌タイプと関連の深いものである。肌の水分量、油分量を表す葉画像を、肌タイプの情報が表示される鉢を模した画像の近くに配置することにより、それらの関係をわかりやすく表現することが可能になる。
【００８１】
図１２は、測定結果表示画面の第３の表示例を示す図である。
【００８２】
図１２の画像１２１は、鉢画像１１３に代えて、横長長方形の領域である領域１３１と領域１３２が位置をずらして配置されている点で図１０の画像１０１と異なる。領域１３１には肌の色味の測定結果に関する情報が表示され、領域１３２には肌タイプの測定結果に関する情報が表示される。
【００８３】
図１３は、測定結果表示画面の第４の表示例を示す図である。
【００８４】
図１３の画像１４１は、鉢画像１１３に代えて、土の地面を表す画像が表示されている点で図１０の画像１０１と異なる。土の地面を表す画像は、例えば肌の色味の測定結果に応じた色で表示される。また、画像１４１の花芯領域１１１は、半円状の領域である領域１１１Ａと領域１１１Ｂに上下に分割される。領域１１１Ａには肌年齢に関する情報が表示され、領域１１１Ｂには肌タイプに関する情報が表示される。
【００８５】
図１４は、測定結果表示画面の第５の表示例を示す図である。
【００８６】
図１４の花びらチャート１５１は、花びら領域７１と花びら領域７２の間、花びら領域７２と花びら領域７３の間、および花びら領域７３と花びら領域７１の間にそれぞれ領域１６１乃至１６３が形成されることによって構成される。領域１６１乃至１６３は、花でいう萼片に相当する。領域１６１乃至１６３は、例えば花びら領域７１乃至７３と異なる色で表示される。
【００８７】
領域１６１乃至１６３は、それぞれ、水分量、肌タイプ、油分量の測定結果が割り当てられた領域である。領域１６１の内側には、水分量の状態のスコアを表すスコア画像１６１Ａと、そのスコアを表す「30」の数字が表示される。領域１６２の内側には肌タイプの測定結果を表す文字が表示される。領域１６３の内側には、油分量の状態のスコアを表すスコア画像１６３Ａと、そのスコアを表す「60」の数字が表示される。
【００８８】
毛穴、シミ、キメの状態に影響を与える項目の測定結果を萼片を模した形で表示し、毛穴、シミ、キメの状態の測定結果を花びらで表示することにより、上述したように各項目の関係をわかりやすく表現することが可能になる。
【００８９】
図１５は、花びらチャートの表示例を示す図である。
【００９０】
図１５に示すように、１つの花びらチャートによって表される測定結果の項目の数を３つ以上とすることも可能である。
【００９１】
図１５の花びらチャートは、例えば皺の状態の測定結果が割り当てられた領域である花びら領域７４が花びら領域７１乃至７３に追加して構成される。花びら領域７１乃至７４は、花芯領域１１１の位置を基準として４方向に向けて配置される。花びら領域７４内側には、皺の状態のスコアを表すスコア画像７４Ａが表示される。
【００９２】
ユーザが、測定結果を表示させる項目の数を設定することができるようにしてもよい。この場合、ユーザの設定に応じて、花びらチャートを構成する花びら領域の数が切り替わる。
【００９３】
図１６は、花びら領域の数の切り替えの例を示す図である。
【００９４】
例えば、図１６の左側に示すように、３つの項目の測定結果を表示させることが設定されている場合において、項目の数を１つ追加するように設定された場合、矢印Ａ１の先に示すように、花びらチャートは４つの花びら領域から構成される画像に切り替わる。
【００９５】
また、４つの項目の測定結果を表示させることが設定されている場合において、項目の数をさらに１つ追加するように設定された場合、矢印Ａ２の先に示すように、花びらチャートは５つの花びら領域から構成される画像に切り替わる。
【００９６】
測定結果を表示させる項目の設定は、例えば設定メニューを用いて行われる。設定メニューには項目ごとのチェックボックスが用意されており、各チェックボックスのオン／オフを切り替えることによって行われる。
【００９７】
このように、花びらチャートを構成する花びら領域の数は適宜変更可能である。これにより、ユーザは任意の項目の測定結果を表示させ、確認することができる。
【００９８】
図１７は、花びらチャートの表示開始直後のアニメーションの例を示す図である。
【００９９】
測定結果表示画面の表示開始直後のスコア画像の表示をアニメーション表示とすることも可能である。ここでは、４つの花びら領域から構成される花びらチャートにおけるスコア画像の表示について説明する。
【０１００】
この場合、図１７の矢印Ａ１１乃至Ａ１４の先に示すように、４つのスコア画像は、それぞれ、スコアに応じた大きさになるまで漸次拡大するように表示される。左端に示す花びらチャートは表示開始直後の状態を示す。表示開始から所定の時間が経過した後、それぞれのスコア画像は矢印Ａ１１の先に示す状態になる。
【０１０１】
また、矢印Ａ１１の先に示す花びらチャートが表示されてから所定の時間が経過した場合、それぞれのスコア画像の状態は矢印Ａ１２の先に示す状態になる。その状態からさらに所定の時間が経過した場合、それぞれのスコア画像の状態は矢印Ａ１３の先に示す状態になる。矢印Ａ１３の先に示す花びらチャートが表示されてから所定の時間が経過した場合、それぞれのスコア画像の状態は矢印Ａ１４の先に示す状態になる。
【０１０２】
この例においては、花びら領域７１のスコア画像７１Ａと花びら領域７４のスコア画像７４Ａは、矢印Ａ１４の先に示す状態にまで漸次大きくなる。また、花びら領域７２のスコア画像７２Ａは、矢印Ａ１３の先に示す状態にまで漸次大きくなる。花びら領域７３のスコア画像７３Ａは、矢印Ａ１２の先に示す状態にまで漸次大きくなる。
【０１０３】
なお、図１７においては、各スコア画像の状態の変化を段階的に示しているが、実際には連続的に変化する。
【０１０４】
２−２．複数の花びらチャートを表示する例
図１８は、測定結果表示画面の第６の表示例を示す図である。
【０１０５】
図１８の測定結果表示画面の左側に表示されている花びらチャート２０１は、２０１５年３月１日に行われた１回目の測定時の測定結果を表す花びらチャートである。中央に表示されている花びらチャート２０２は、その１週間後の２０１５年３月８日に行われた２回目の測定時の測定結果を表す花びらチャートである。右側に表示されている花びらチャート２０３は、２０１５年３月１５日に行われた３回目の測定時の測定結果を表す花びらチャートである。
【０１０６】
このように、複数回の測定結果を表す花びらチャートを時系列順に並べて表示させることも可能である。解析サーバ３から情報処理端末１に対しては、複数回の測定結果を表す情報が送信されてくることになる。
【０１０７】
ユーザは、それぞれのスコア画像の大きさの変化から、肌の状態の遷移を確認することが可能になる。
【０１０８】
図１９に示すように、１つの花びらチャートの表示がアニメーションを用いて切り替わることによって複数回の測定結果が表示されるようにしてもよい。
【０１０９】
例えば、１つの花びらチャートの表示が、１回目の測定結果を表す状態から２回目の測定結果を表す状態に切り替わり、さらに、３回目の測定結果を表す状態に切り替わる。図１９において、色をぼかして示していることは、各花びら領域のスコア画像の表示が切り替わることを表す。これによっても、ユーザは自身の肌の状態の遷移を確認することが可能になる。
【０１１０】
図２０は、測定結果表示画面の第７の表示例を示す図である。
【０１１１】
図２０の例においては、大きさが異なる花びらチャート２１１乃至２１３が並べて表示されている。図１８の測定結果表示画面と同様に、左側の花びらチャート２１１は１回目の測定結果を表し、中央の花びらチャート２０２は２回目の測定結果を表す。右側の花びらチャート２０３は３回目の測定結果を表す。
【０１１２】
図２０の測定結果表示画面の上方には、肌の状態の項目として、キメ、毛穴、シミのチェックボックスが横に並べて表示され、全てのチェックボックスがオンになっている。各花びらチャートは、キメ、毛穴、シミの状態の測定結果を表す。
【０１１３】
花びらチャート２１１乃至２１３の下には、それぞれ高さが異なる茎画像２１１Ａ乃至２１３Ａが表示されている。茎画像２１１Ａ乃至２１３Ａの下端は、水平線状の画像である境界画像２２１に接している。
【０１１４】
花びらチャート２１１乃至２１３の大きさと茎画像２１１Ａ乃至２１３Ａの高さは、測定結果に応じて変化する。花びらチャート２１１乃至２１３の大きさは、例えば前回の測定結果との差を表す。
【０１１５】
この場合、花びらチャート２１２が花びらチャート２１１より小さいことは、花びらチャート２１２により表される測定結果が、花びらチャート２１１により表される測定結果より悪いことを表す。また、花びらチャート２１３が花びらチャート２１２より大きいことは、花びらチャート２１３により表される測定結果が、花びらチャート２１２により表される測定結果より良いことを表す。
【０１１６】
花びらチャートの大きさが、肌の状態の総合評価を表すようにしてもよい。
【０１１７】
茎画像２１１Ａ乃至２１３Ａの高さは肌の状態の総合評価などを表す。肌の状態の総合評価が高いほど、または肌年齢の評価が高いほど、茎画像２１１Ａ乃至２１３Ａの高さは高く表示される。
【０１１８】
花の大きさや高さが変化することにより、ユーザは、肌の状態の遷移を直観的に把握することができる。また、肌の状態の遷移が親しみのある花の成長によって表現されるため、ユーザは、花が成長しているときには嬉しさ等の感情を持つことができる。さらに、ユーザは、花を成長させたいという想いから、肌の状態を良くしようとすることに対してモチベーションを高めることができる。
【０１１９】
図２１は、測定結果表示画面の第８の表示例を示す図である。
【０１２０】
図２１の例においては、図２０を参照して説明した境界画像２２１を挟んで茎画像２１１Ａの延長上に、花の根に相当する棒状の画像である根画像２３１が表示されている。茎画像２１２Ａの下には根画像２３２が表示され、茎画像２１３Ａの下には根画像２３３が表示されている。根画像２３１乃至２３３は、生活習慣、気分、環境などの、肌の状態に影響を与えると考えられる項目の状態を表す。以下、肌の状態に影響を与える項目として、生活習慣、気分を用いて説明する。
【０１２１】
図２１の測定結果表示画面の下方には、生活習慣の項目として、睡眠、食事、運動、ストレスのチェックボックスが横に並べて表示され、そのうちの睡眠、食事、運動のチェックボックスがオンになっている。
【０１２２】
例えば、根画像２３１は、１回目の測定前までの睡眠、食事、運動の状態を表す。また、根画像２３２は、１回目の測定後から２回目の測定前までの睡眠、食事、運動の状態を表す。根画像２３３は、２回目の測定後から３回目の測定前までの睡眠、食事、運動の状態を表す。
【０１２３】
図２２は、根画像２３１を拡大して示す図である。
【０１２４】
根画像２３１は、領域２３１Ａ乃至２３１Ｃが並び、領域２３１Ｃの先に円形の領域２３１Ｄが配置されることによって構成される。それぞれの領域は例えば異なる色で表示される。
【０１２５】
領域２３１Ａ乃至２３１Ｃは、それぞれ、睡眠、食事、運動のスコアをその長さによって表す。例えば睡眠の状態が良く、スコアが高いほど、睡眠の項目が割り当てられた領域２３１Ａの長さが長くなる。根画像２３１は、生活習慣のスコアを棒グラフ形式で表す画像である。
【０１２６】
このように、生活習慣のそれぞれの項目についてもスコアが求められる。領域２３１Ｄには、例えばスコアが最も高い生活習慣の項目の、そのスコアがハイライト表示される。スコアに応じた大きさで領域２３１Ｄを表示させることも可能である。また、生活習慣の総合のスコアを領域２３１Ｄに表示させるようにすることも可能である。
【０１２７】
肌の状態は、通常、生活習慣や気分の影響を受け、生活習慣や気分によって変化する。肌の状態を花、肌に影響を与える項目の状態を根としてひと塊のグラフィックスとして表現することで、ユーザは、肌の状態と生活習慣などとの因果関係を観察することが可能になる。
【０１２８】
従来、肌の測定結果と生活習慣などの情報は、相互に関係付けをすることなく表示されるのが通常であり、そのような表示では、ユーザは、生活習慣との関係を含めて、肌の状態を総合的に評価することができない。図２１に示すような表現を用いることにより、生活習慣などとの関係を含めて、肌の状態を総合的に評価することが可能になる。
【０１２９】
生活習慣の気分等の、肌に影響を与える項目のスコアを、茎画像を用いて表示することも可能である。以下、適宜、肌の状態に影響を与えると考えられる生活習慣やユーザの気分等の情報をまとめてライフログという。ライフログは、ディスプレイ５１に表示された画面を用いてユーザにより手動で入力されるようにしてもよいし、ユーザが体に装着したウエラブルデバイスにより測定されるようにしてもよい。ウエラブルデバイスにより測定されたライフログは情報処理端末１に送信され、取得される。
【０１３０】
図２３は、ライフログの入力画面の例を示す図である。
【０１３１】
図２３の入力画面においては、ユーザは、食生活（食事）、睡眠、運動、疲れ、気分の各項目のスコアを選択することができるようになされている。また、生理中であるか否かを選択することができるようになされている。
【０１３２】
このような画面を用いて入力されたライフログに関する情報が情報処理端末１から解析サーバ３に対して送信され、生活習慣などの評価に用いられる。なお、ライフログについては、肌の状態とともに生活習慣などのスコアを表示する場合に情報処理端末１により取得され、解析サーバ３に送信されるようにしてもよい。
【０１３３】
２−３．花びらチャートの変形例
図２４および図２５は、花びらチャートの変形例を示す図である。
【０１３４】
花びらチャートを構成する花びら領域の形状として、図２４Ａ乃至Ｃ、および図２５Ａ，Ｂに示すような他の花びらの形状を用いることも可能である。また、図２５Ａ，Ｂに示すように、１つの花びらチャートを構成する花びら領域の数も適宜変更可能である。
【０１３５】
例えば図２５Ｂの花びらチャートは６つの花びら領域から構成され、そのうちの３つの領域である花びら領域７１乃至７３にスコア画像が表示される。花びら領域７１乃至７３にはそれぞれ異なる色のスコア画像が表示される。
【０１３６】
図２６は、図２５Ｂのスコア画像の表示例を示す図である。
【０１３７】
図７の例と同様に、花びら領域７１には毛穴の項目が割り当てられているものとする。花びら領域７１と同じ大きさを５点などのように最大スコアとして、毛穴の状態のスコアが例えば１点である場合、図２６Ａに示すように、スコア画像７１Ａは花びら領域７１の下方の１／５の範囲を埋めるように表示される。
【０１３８】
また、毛穴の状態のスコアが２．５点である場合、図２６Ｂに示すように、スコア画像７１Ａは花びら領域７１の下方の２．５／５の範囲を埋めるように表示される。毛穴の状態のスコアが４点である場合、図２６Ｃに示すように、スコア画像７１Ａは花びら領域７１の下方の４／５の範囲を埋めるように表示される。
【０１３９】
すなわち、この例においては、花びら領域７１の形状と略同じ形状の画像がスコア画像７１Ａとして表示されるのではなく、いわば、密閉されたシリンダーの内部に液体を充填するかのような形でスコア画像７１Ａが表示される。
【０１４０】
このように、花びら領域の形状と異なる形状のスコア画像が表示されるようにすることも可能である。基準となるスコアについては、点線ではなく、図２７に示すように、スコア画像７１Ａの色に高い透明度を付加した色で表示することも可能である。図２７において薄い色で示す部分は、透明度を付加した色で表示されている部分であり、その上限は、基準となるスコアを表す。上述したように、基準となるスコアには、前回測定時のスコア、ユーザが予め設定しておいた目標のスコア、年代別の平均スコアなどが含まれる。
【０１４１】
図２８は、花びらチャートの他の変形例を示す図である。
【０１４２】
図２８Ａ乃至Ｇに示すような花びらチャートを用いて肌の状態の測定結果が表示されるようにすることも可能である。花の種類、花びら領域の形状、花びら領域の数、花びら領域の重ね方が変わるなど、花びらチャートの種類が適宜切り替わるようにしてもよい。
【０１４３】
花びらチャートの種類を切り替える条件には以下のようなものがある。
・春夏秋冬などの季節、時期
・ユーザの年代、コミュニティグループなどのユーザの属性
・肌や顔型などのユーザの外観の分類結果
・気分や嗜好などのユーザの内面の分類結果
【０１４４】
図２９は、花びらチャートのさらに他の変形例を示す図である。
【０１４５】
図２９に示すように、スコア画像を表示せずに、花びら領域に割り当てられた項目のスコアを表す数字をそれぞれの花びら領域に表示することも可能である。
【０１４６】
図３０は、花びらチャートの表示例を示す図である。
【０１４７】
図３０Ａに示すように、花びらチャートを構成する花びら領域、基準となるスコアを表す点線、スコア画像をそれぞれ異なるレイヤの情報とし、斜視状態の花びらチャートが表示されるようにしてもよい。基準となるスコアには、前回測定時のスコア、ユーザが予め設定しておいた目標のスコア、年代別の平均スコアなどが含まれる。
【０１４８】
また、図３０Ｂに示すように、スコアが上がった項目の花びら領域の上に、花びら領域と同一形状の画像を表示させることも可能である。この場合、花びら領域と同一形状の画像は上昇率に応じた位置に表示される。
【０１４９】
図３１は、花びらチャートの他の表示例を示す図である。
【０１５０】
正面視の状態の花びらチャートが表示されている状態において、図３１に示すように花びらチャートの視点を切り替えることができるようにしてもよい。図３１に示す花びらチャートは、例えば図２１の１つの花びらチャートの視点を切り替えたものである。花びらチャートの視点の切り替えは、例えばディスプレイ５１の表面に設けられたタッチパネルに対するタッチ操作によって行われる。
【０１５１】
図３２は、花びらチャートの他の表示例を示す図である。
【０１５２】
生活習慣や気分などの肌の状態に影響を与える項目の情報を、茎画像や根画像を用いて表示するのではなく、花の画像を用いて表示することも可能である。
【０１５３】
図３２に示す画像は、画像３０１によって表される鉢に３本の花が生えている状態を示す画像である。図３２に示す画像が測定結果表示画面に表示される。
【０１５４】
図３２の花びらチャート３１１はユーザの肌の状態の測定結果を表す。円形の花を模した花画像３１２は例えばユーザの気分の状態を表す。花画像３１２は、ユーザの気分に応じた色、大きさで表示される。
【０１５５】
４つの花びら領域から構成される花びらチャート３１３は、例えばユーザの生活習慣の各項目のスコアを表す。花びらチャート３１３を構成するそれぞれの花びら領域には、生活習慣と気分のスコアを表すスコア画像が表示される。
【０１５６】
図３２に示す画像によっても、ユーザは、肌の状態と、生活習慣、気分との因果関係を心理的な負荷のない形で気軽に確認することができる。毛穴の状態を表す花、キメの状態を表す花、およびシミの状態を表す花をそれぞれ表示するといったように、肌の状態の各項目のスコアをそれぞれ異なる花の画像を用いて表示してもよい。
【０１５７】
以上においては、肌の状態の測定結果が花を模した画像によって表されるものとしたが、図３３に示すように、花を模した画像以外の画像を用いて測定結果が表されるようにしてもよい。
【０１５８】
図３３Ａ，Ｂに示す画像は、所定の位置を中心として、肌の状態の各項目が割り当てられた円形の領域が各方向に形成されている点で、上述した花びらチャートと同様である。中央の円と、その周りの円形の領域は直線で繋がれている。肌の状態の各項目が割り当てられた円形の領域には、その領域に割り当てられた項目のスコアに応じた大きさの色つきの円形の画像が表示される。各円形の領域には適宜スコアを表す数字も表示される。
【０１５９】
以上のような表示を実現する情報処理端末１と解析サーバ３の処理についてはフローチャートを参照して後述する。
【０１６０】
＜３．各機器の構成＞
３−１．肌測定器２の構成
図３４は、肌測定器２の構成例を示すブロック図である。図３に示す構成と同じ構成には同じ符号を付してある。重複する説明については適宜省略する。
【０１６１】
肌測定器２は、照明部３１、撮像素子３４、コントローラ４０１、および通信部４０２から構成される。
【０１６２】
照明部３１は、肌画像の撮影時、肌に向けて可視光を照射する。また、照明部３１は、メラニンの測定などに用いられる所定の波長の光を照射する。
【０１６３】
撮像素子３４は、CMOS(Complementary Metal Oxide Semiconductor)イメージセンサなどの撮像素子である。撮像素子３４は、照明部３１が照射した光の反射光を検出し、光電変換などを行う。撮像素子３４は、光電変換などを行うことによって得られた肌画像のデータをコントローラ４０１に出力する。
【０１６４】
コントローラ４０１は、通信部４０２を介して情報処理端末１と通信を行い、例えば情報処理端末１による制御に従って肌測定器２の各部を制御する。コントローラ４０１は、撮像素子３４から供給された肌画像のデータを、通信部４０２から情報処理端末１に送信する。
【０１６５】
通信部４０２は、無線LANなどの所定の規格の通信モジュールである。通信部４０２は、情報処理端末１と通信を行う。通信部４０２は、情報処理端末１から送信されてきた情報をコントローラ４０１に出力し、コントローラ４０１から供給された情報を情報処理端末１に送信する。
【０１６６】
３−２．情報処理端末の構成
図３５は、情報処理端末１のハードウェア構成例を示すブロック図である。
【０１６７】
CPU(Central Processing Unit)４１１、ROM(Read Only Memory)４１２、RAM(Random Access Memory)４１３は、バス４１４により相互に接続される。
【０１６８】
バス４１４には、さらに、入出力インタフェース４１５が接続される。入出力インタフェース４１５には、ディスプレイ５１、カメラ４１６、タッチパネル４１７、メモリ４１８、通信部４１９、およびドライブ４２０が接続される。
【０１６９】
タッチパネル４１７は、ディスプレイ５１に積層して設けられる。タッチパネル４１７は、ユーザによる操作を検出し、操作の内容を表す情報をCPU４１１に出力する。
【０１７０】
メモリ４１８は、フラッシュメモリなどより構成される。メモリ４１８は、解析サーバ３から送信されてきた、肌の状態の測定結果を表す情報などの各種の情報を記録する。メモリ４１８に記録された情報はCPU４１１により適宜読み出される。
【０１７１】
通信部４１９は、無線LANなどの所定の規格の通信モジュールである。通信部４１９は、肌測定器２と通信を行う。また、通信部４１９は、中継装置４Ａに接続し、ネットワーク４を介して接続される解析サーバ３などとの間で通信を行う。
【０１７２】
ドライブ４２０は、リムーバブルメディア４２１に記録されたデータの読み出しと、リムーバブルメディア４２１に対するデータの記録を行う。リムーバブルメディア４２１は、情報処理端末１に設けられたスロットに装着されたメモリカード、情報処理端末１の端子に装着されたUSBメモリなどの記録媒体である。
【０１７３】
図３６は、情報処理端末１の機能構成例を示すブロック図である。
【０１７４】
図３６に示す機能部のうちの少なくとも一部は、図３５のCPU４１１により所定のプログラムが実行されることによって実現される。
【０１７５】
図３６に示すように、情報処理端末１においては、肌画像取得部４３１、ライフログ取得部４３２、通信制御部４３３、および表示制御部４３４が実現される。
【０１７６】
肌画像取得部４３１は、肌測定器２により撮影され、通信部２１９において受信された肌画像を取得する。例えば１カ所の測定箇所毎に、波長を変えて撮影された複数の肌画像が取得される。肌画像取得部４３１は、取得した肌画像を通信制御部４３３に出力する。
【０１７７】
ライフログ取得部４３２は、ユーザの生活習慣と気分などの情報であるライフログを取得する。ライフログ取得部４３２は、図２３の入力画面を用いてユーザにより入力されたライフログを取得したり、通信部４１９を制御して、ユーザが装着するウエアラブル端末と通信を行うことによって取得したりする。ライフログ取得部４３２は、取得したライフログを通信制御部４３３に出力する。
【０１７８】
通信制御部４３３は、通信部２１９を制御し、肌画像取得部４３１から供給された肌画像とライフログ取得部４３２から供給されたライフログを解析サーバ３に送信する。また、通信制御部４３３は、解析サーバ３から送信されてきた測定結果を表す情報を受信する。通信制御部４３３は、肌の状態の測定結果を表す情報を受信して取得する取得部として機能する。通信制御部４３３は、測定結果を表す情報を表示制御部４３４に出力する。
【０１７９】
表示制御部４３４は、通信制御部４３３から供給された情報に基づいて測定結果表示画面をディスプレイ５１に表示させ、肌の状態の測定結果をユーザに提示する。表示制御部４３４は、肌の状態の測定結果をユーザに提示する提示部として機能する。また、表示制御部４３４は、適宜、測定結果表示画面の表示をユーザの操作に応じて切り替える。
【０１８０】
３−３．解析サーバ３の構成
図３７は、解析サーバ３のハードウェア構成例を示すブロック図である。
【０１８１】
CPU４５１、ROM４５２、RAM４５３は、バス４５４により相互に接続される。バス４５４には、さらに、入出力インタフェース４５５が接続される。
【０１８２】
入出力インタフェース４５５には、キーボードやマウスなどの入力部４５６、ディスプレイなどの出力部４５７が接続される。また、入出力インタフェース４５５には、ハードディスクなどの記憶部４５８、情報処理端末１などの各種の機器との間でネットワーク４を介して通信を行う通信部４５９が接続される。
【０１８３】
入出力インタフェース４５５にはドライブ４６０も接続される。ドライブ４６０は、リムーバブルメディア４６１に記録されたデータの読み出しと、リムーバブルメディア４６１に対するデータの記録を行う。
【０１８４】
図３８は、解析サーバ３の機能構成例を示すブロック図である。
【０１８５】
図３８に示す機能部のうちの少なくとも一部は、図３７のCPU４５１により所定のプログラムが実行されることによって実現される。
【０１８６】
図３８に示すように、解析サーバ３においては、肌画像取得部４７１、肌解析部４７２、解析結果取得部４７３、ライフログ取得部４７４、ライフログ解析部４７５、および提示部４７６が実現される。肌解析部４７２には、毛穴解析部４８１、シミ解析部４８２、キメ解析部４８３、および水分・油分解析部４８４が含まれる。
【０１８７】
肌画像取得部４７１は、通信部４５９を制御し、情報処理端末１から送信されてきた肌画像を取得する。肌画像取得部４７１は、取得した肌画像を肌解析部４７２の各部に出力する。
【０１８８】
肌解析部４７２の毛穴解析部４８１は、肌画像取得部４７１から供給された肌画像の画像処理を行い、毛穴の状態を解析する。毛穴解析部４８１は、毛穴の解析結果を表す情報として、例えば毛穴の開きの状態を表す情報と毛穴の黒ずみの状態を表す情報を出力する。
【０１８９】
シミ解析部４８２は、肌画像取得部４７１から供給された肌画像の画像処理を行い、シミの状態を解析する。シミ解析部４８２は、シミの解析結果を表す情報として、例えば赤みシミの状態を表す情報とメラニンシミの状態を表す情報を出力する。
【０１９０】
毛穴解析部４８１による毛穴の状態の解析と、シミ解析部４８２によるシミの状態の解析については後に詳述する。
【０１９１】
キメ解析部４８３は、肌画像取得部４７１から供給された肌画像の画像処理を行い、キメの状態を解析する。例えば、キメ解析部４８３は、肌画像を解析することにより、キメを構成する皮丘を検出し、皮丘の面積、形状、方向を特定する。キメ解析部４８３は、例えば、皮丘の面積を閾値と比較することによってキメの細かさを特定する。また、キメ解析部４８３は、皮丘の形状、方向に基づいて、皮丘が規則正しく並んでいるか否かを判定し、キメの整い具合を特定する。キメ解析部４８３は、キメの細かさの情報と整い具合の情報を出力する。
【０１９２】
なお、キメの状態の評価方法については、例えば特開２０１２−２３９７６８号公報に記載されている。
【０１９３】
水分・油分解析部４８４は、肌画像取得部４７１から供給された肌画像の画像処理を行い、肌の水分量と油分量を解析する。水分量と油分量の解析には、水分量と油分量の検出用の波長の光を照射して撮影された肌画像が用いられる。肌測定器２に水分量と油分量の測定用のセンサが設けられている場合、そのセンサにより測定された水分量と油分量が水分・油分解析部４８４により取得されるようにしてもよい。水分・油分解析部４８４は、水分量と油分量の情報を出力する。
【０１９４】
解析結果取得部４７３は、肌解析部４７２の各部から出力された解析結果を表す情報を取得し、肌の状態を表すスコアを求める。解析結果取得部４７３には、肌解析部４７２から供給された解析結果とスコアを対応付けた情報が用意されている。
【０１９５】
例えば、解析結果取得部４７３は、毛穴解析部４８１から供給された情報に基づいて、毛穴の開きの状態と毛穴の黒ずみの状態を評価し、毛穴の状態を表すスコアを求める。また、解析結果取得部４７３は、シミ解析部４８２から供給された情報に基づいて、赤みシミの状態とメラニンシミの状態を評価し、シミの状態を表すスコアを求める。解析結果取得部４７３は、キメ解析部４８３から供給された情報に基づいて、キメの細かさと整い具合を評価し、キメの状態を表すスコアを求める。
【０１９６】
また、解析結果取得部４７３は、水分・油分解析部４８４から供給された水分量、油分量の情報を取得し、ノーマル肌、脂性肌、乾燥肌、混合肌のうちのいずれかの肌タイプに分類する。例えば、解析結果取得部４７３は、水分量が３０以上でかつ油分量が７０未満である場合、肌タイプを「ノーマル肌」として分類する。
【０１９７】
解析結果取得部４７３は、毛穴、シミ、キメのスコア、肌タイプ、水分量、および油分量を表す情報を、肌の状態の測定結果を表す情報として提示部４７６に出力する。また、解析結果取得部４７３は、ライフログ解析部４７５から供給された生活習慣と気分のスコアを提示部４７６に出力する。
【０１９８】
ライフログ取得部４７４は、通信部４５９を制御し、情報処理端末１から送信されてきたライフログを取得する。ライフログ取得部４７４は、取得したライフログをライフログ解析部４７５に出力する。
【０１９９】
ライフログ解析部４７５は、ライフログ取得部４７４から供給されたライフログを解析し、今回の肌の状態の測定前のユーザの生活習慣と気分のスコアを求める。
【０２００】
例えば、ライフログ解析部４７５は、今回の測定前に、図２３の入力画面を用いたライフログの入力が複数回行われている場合、「食事」、「睡眠」、「運動」の項目毎の入力値の平均値を、生活習慣の項目である食事、睡眠、運動のスコアとして求める。また、ライフログ解析部４７５は、「気分」の項目の入力値の平均値を気分のスコアとして求める。「疲れ」、「生理中」の項目の入力値を組み合わせて用いることによって気分のスコアが求められるようにしてもよい。ライフログ解析部４７５は、生活習慣と気分のスコアを解析結果取得部４７３に出力する。
【０２０１】
提示部４７６は、解析結果取得部４７３から供給された情報を通信部４５９を制御して情報処理端末１に送信し、肌の状態の測定結果をユーザに提示する。測定結果表示画面が解析サーバ３により生成され、生成された測定結果表示画面の情報が解析サーバ３から情報処理端末１に対して送信されるようにしてもよい。
【０２０２】
・シミ解析部４８２について
図３９は、シミ解析部４８２の構成例を示すブロック図である。
【０２０３】
シミ解析部４８２は、メラニンシミ解析部４９１と赤みシミ解析部４９２から構成される。肌画像取得部４７１から出力された肌画像はメラニンシミ解析部４９１と赤みシミ解析部４９２にそれぞれ入力される。
【０２０４】
メラニンシミ解析部４９１は、肌画像の画像処理を行い、メラニンシミの状態を解析する。メラニンシミ解析部４９１は、解析結果を表す情報を出力する。
【０２０５】
赤みシミ解析部４９２は、肌画像の画像処理を行い、赤みシミの状態を解析する。赤みシミ解析部４９２は、解析結果を表す情報を出力する。
【０２０６】
図４０は、図３９のメラニンシミ解析部４９１の構成例を示すブロック図である。
【０２０７】
メラニンシミ解析部４９１は、メラニン度算出部５０１、メラニンエッジ度算出部５０２、および局所メラニン度算出部５０３から構成される。メラニンシミ解析部４９１は、肌のメラニン成分を検出する機能を有する。
【０２０８】
メラニン度算出部５０１は、肌画像を解析し、各位置のメラニン量（メラニン成分の分布）を求める。図４１に示すように、メラニンは、位置Ｐ１で示す赤の波長域から位置Ｐ２で示す近赤外の波長域の間では右肩下がりの吸光特性を示す。
【０２０９】
メラニン度算出部５０１は、メラニンの吸光特性を利用して、赤色光源下で撮影した肌画像と近赤外光源下で撮影した肌画像に基づいてメラニン量MX(x,y)を求める。メラニン量MX(x,y)は下式（１）により表される。
【数１】
0006566240.tif 000002
【０２１０】
式（１）において、ＩIR(x,y)は、近赤外光源下で撮影した肌画像の位置(x,y)における明るさ（例えばＲ画素値）を表す。ＩR(x,y)は、赤色光源下で撮影した肌画像の位置(x,y)における明るさ（例えばＲ画素値）を表す。
【０２１１】
また、AMX、BMXはメラニン量を算出するためのパラメータである。メラニン度算出部５０１は、図４２に示す正規化関数に従って、各位置のメラニン量MX(x,y)を[0,1]の範囲の値に正規化することによってメラニン分布のコントラストを調整する。メラニン度算出部５０１は、メラニン量MX(x,y)を表す情報をメラニンエッジ度算出部５０２に出力し、正規化後の各位置のメラニン量を表す値をメラニン度αMX(x,y)として局所メラニン度算出部５０３に出力する。
【０２１２】
メラニンエッジ度算出部５０２は、メラニン度算出部５０１により求められた各位置のメラニン量MX(x,y)に基づいてメラニンエッジ度を算出する。メラニンエッジ度は、メラニンの局所性を表す値である。
【０２１３】
メラニンエッジ度算出部５０２は、各位置のメラニン量とその周辺のメラニン量との差分を表す画像であるエッジ画像を作成する。エッジ画像を作成する方法としては、例えばソーベルフィルタを用いる方法がある。ソーベルフィルタは、輪郭の検出に用いられるフィルタである。エッジ画像の各位置における値をmx_edge(x,y)とする。
【０２１４】
mx_edge(x,y)は、メラニン量が周辺よりも局所的に高い部分、または局所的に低い部分での値が高くなる。メラニンエッジ度算出部５０２は、図４３に示す正規化関数に従って、mx_edge(x,y)を[0.1]の範囲の値に正規化し、正規化後の値をメラニンエッジ度βMX(x,y)として局所メラニン度算出部５０３に出力する。
【０２１５】
局所メラニン度算出部５０３は、メラニン度算出部５０１により求められたメラニン度αMX(x,y)とメラニンエッジ度算出部５０２により求められたメラニンエッジ度βMX(x,y)を掛け合わせることによって、局所メラニン度γMX(x,y)を算出する。局所メラニン度γMX(x,y)は、メラニン度が周辺よりも高い位置における値が高い値となる。局所メラニン度算出部５０３は、局所メラニン度γMX(x,y)を表す情報をメラニンシミの解析結果として出力する。
【０２１６】
なお、メラニン度が高い領域が比較的広い場合、その領域の周辺の局所メラニン度のみが高い値となり、中心部の局所メラニン度は低い値になってしまう。局所メラニン度算出部５０３は、これを防ぐために、例えば２値化処理を行い、検出した閉領域を周辺部の値で埋めるような処理を行う。
【０２１７】
図４４は、図３９の赤みシミ解析部４９２の構成例を示すブロック図である。
【０２１８】
赤みシミ解析部４９２は、赤み度算出部５１１、赤みエッジ度算出部５１２、および局所赤み度算出部５１３から構成される。赤みシミ解析部４９２は、肌のヘモグロビン成分（赤み成分）を検出する機能を有する。
【０２１９】
赤み度算出部５１１は、肌画像を解析し、各位置のヘモグロビン量（ヘモグロビン成分の分布）を求める。図４５に示すように、ヘモグロビンは、位置Ｐ１１で示す緑の波長域から位置Ｐ１２で示す赤の波長域の間では右肩下がりの吸光特性を示す。
【０２２０】
赤み度算出部５１１は、ヘモグロビンの吸光特性を利用して、緑色光源下で撮影した肌画像と赤色光源下で撮影した肌画像に基づいて、赤み量EX(x,y)を求める。赤み量EX(x,y)は下式（２）により表される。
【数２】
0006566240.tif 000003
【０２２１】
式（２）において、ＩR(x,y)は、赤色光源下で撮影した肌画像の位置(x,y)における明るさ（例えばＲ画素値）を表す。ＩG(x,y)は、緑色光源下で撮影した肌画像の位置(x,y)における明るさ（例えばＧ画素値）を表す。
【０２２２】
また、AEX、BEXは赤み量を算出するためのパラメータである。赤み度算出部５１１は、図４６に示す正規化関数に従って、各位置の赤み量EX(x,y)を[0,1]の範囲の値に正規化することによって赤み量のコントラストを調整する。赤み度算出部５１１は、赤み量EX(x,y)を表す情報を赤みエッジ度算出部５１２に出力し、正規化後の各位置の赤み量を表す値を赤み度αEX(x,y)として局所赤み度算出部５１３に出力する。
【０２２３】
赤みエッジ度算出部５１２は、赤み度算出部５１１により求められた各位置の赤み量EX(x,y)に基づいて赤みエッジ度を算出する。赤みエッジ度は、赤み量の局所性を表す値である。
【０２２４】
赤みエッジ度算出部５１２は、各位置の赤み量とその周辺の赤み量との差分を表す画像であるエッジ画像を作成する。エッジ画像を作成する方法としては、例えばソーベルフィルタを用いる方法がある。エッジ画像の各位置における値をex_edge(x,y)とする。
【０２２５】
ex_edge(x,y)は、赤み量が周辺よりも局所的に高い部分、または局所的に低い部分での値が高くなる。赤みエッジ度算出部５１２は、図４７に示す正規化関数に従って、ex_edge(x,y)を[0.1]の範囲の値に正規化し、正規化後の値を赤みエッジ度βEX(x,y)として局所赤み度算出部５１３に出力する。
【０２２６】
局所赤み度算出部５１３は、赤み度算出部５１１により求められた赤み度αEX(x,y)と赤みエッジ度算出部５１２により求められた赤みエッジ度βEX(x,y)を掛け合わせることによって、局所赤み度γEX(x,y)を算出する。局所赤み度γEX(x,y)は、赤み度が周辺よりも高い位置における値が高い値となる。局所赤み度算出部５１３は、局所赤み度γEX(x,y)を表す情報を赤みシミの解析結果として出力する。
【０２２７】
なお、赤み度の高い領域が比較的広い場合、その領域の周辺の局所赤み度のみが高い値となり、中心部の局所赤み度は低い値になってしまう。局所赤み度算出部５１３は、これを防ぐために、例えば２値化処理を行い、検出した閉領域を周辺部の値で埋めるような処理を行う。
【０２２８】
このように、シミ解析部４８２は、メラニン成分とヘモグロビン成分のそれぞれについて、各成分の分布を算出する。また、シミ解析部４８２は、各成分の量が局所的に高い位置を特定し、特定した位置を含む領域における各成分の量を表す情報をシミの解析結果として生成することになる。
【０２２９】
赤みシミとメラニンシミの状態の解析方法は以上の方法に限られるものではない。例えば、単に、可視光を照射して撮影した肌画像の各領域の色を検出し、赤色に近い色の領域を赤みシミの領域として特定し、茶色に近い色の領域をメラニンシミの領域として特定することも可能である。
【０２３０】
・毛穴解析部４８１について
図４８は、図３８の毛穴解析部４８１の構成例を示すブロック図である。
【０２３１】
毛穴解析部４８１は、前処理部５２１、輝度情報分離部５２２、および特徴部分解析部５２３から構成される。肌画像取得部４７１から出力された肌画像は前処理部５２１に入力される。
【０２３２】
前処理部５２１は、ノイズ除去、シェーディング補正、コントラスト強調などの処理を前処理として肌画像に施す。前処理部５２１は、前処理を施した肌画像のデータを輝度情報分離部５２２に出力する。
【０２３３】
輝度情報分離部５２２は、前処理後の肌画像の輝度情報をグローバル輝度情報とローカル輝度情報に分離する。グローバル輝度情報は、画像に含まれる照明成分や、肌の構造成分を示す情報である。また、ローカル輝度情報は、キメなどの肌の細かな模様を示す情報である。輝度情報の分離は、例えば低域通過フィルタを用いて行われる。輝度情報分離部５２２は、グローバル輝度情報を肌画像とともに特徴部分解析部５２３に出力する。
【０２３４】
特徴部分解析部５２３は、肌画像から特徴量を算出し、算出した特徴量に基づいて肌の特徴部分の解析を行う。
【０２３５】
図４９は、特徴部分解析部５２３の構成例を示すブロック図である。
【０２３６】
特徴部分解析部５２３は、特徴量算出部５４１と特徴部分抽出部５４２から構成される。
【０２３７】
特徴量算出部５４１は、輝度情報分離部５２２により分離されたグローバル輝度情報に基づいて特徴量を算出する。特徴量算出部５４１は、例えば、肌画像の階調に関する極性、周辺と異なる類似した画素値をもつ画素領域を表すスケール、および、類似した画素値の画像領域と周辺との信号差を示す強度を特徴量として算出する。
【０２３８】
特徴量の算出には、SURF(Speeded Up Robust Feature)やSIFT(Scale Invariant Feature Transform)等の手法が用いられる。例えばSURFを用いる場合、特徴量算出部５４１は、画像中の特徴点となるHessian行列の行列値が極大となる点を、ガウス関数の標準偏差σを変えて探索する。
【０２３９】
特徴部分抽出部５４２は、特徴量算出部５４１で求めた特徴量に基づいて、特徴部分としての毛穴の部分を抽出する。例えば、特徴部分抽出部５４２は、肌画像の階調に関する極性を示すラプラシアンが「１」となる特徴点の部分を抽出する。ラプラシアンが「１」であることは、黒画素が白画素に囲まれているといった特徴を示す。
【０２４０】
また、特徴部分抽出部５４２は、極性に基づいて抽出した特徴点の部分のうち、０．１ｍｍから０．３ｍｍ程度のスケールが算出された部分を毛穴の部分として抽出する。一般的に、毛穴の大きさは０．１ｍｍから０．３ｍｍ程度の大きさである。
【０２４１】
特徴部分抽出部５４２は、毛穴の部分として抽出した特徴点の中心位置の情報を、毛穴の位置の情報として出力する。また、特徴部分抽出部５４２は、毛穴の部分として抽出した特徴点のスケールの情報を、毛穴の開きの度合いを表す情報として出力する。さらに、特徴部分抽出部５４２は、毛穴の部分として抽出した特徴点の強度の情報を、毛穴の黒ずみの度合いを表す情報として出力する。
【０２４２】
特徴部分抽出部５４２から出力された、毛穴の位置、開きの度合い、黒ずみの度合いを表す情報は、毛穴の状態の解析結果を表す情報として解析結果取得部４７３に供給される。
【０２４３】
なお、以上のような毛穴の状態の解析については、本出願人による特願２０１２−１８０８６１号に開示されている。毛穴の状態の解析方法も以上の方法に限られるものではない。
【０２４４】
＜４．各機器の動作＞
次に、以上のような構成を有する情報処理端末１と解析サーバ３の処理について説明する。
【０２４５】
はじめに、図５０のフローチャートを参照して、情報処理端末１の肌画像送信処理について説明する。
【０２４６】
図５０の処理は、ユーザが肌測定器２を用いて自身の肌の撮影を行い、撮影によって得られた肌画像が肌測定器２から送信されてきたときに開始される。ライフログの入力は図２３に示すような入力画面を用いて行われ、ライフログ取得部４３２により所定のタイミングで取得されている。
【０２４７】
ステップＳ１において、情報処理端末１の肌画像取得部４３１は、通信部４１９を制御し、肌測定器２から送信されてきた肌画像を取得する。
【０２４８】
ステップＳ２において、通信制御部４３３は、通信部４１９を制御し、肌画像取得部４３１により取得された肌画像と、ライフログ取得部４３２により取得されたライフログを解析サーバ３に送信する。その後、肌の状態の測定結果のフィードバックがあるまで、情報処理端末１は待機する。
【０２４９】
次に、図５１のフローチャートを参照して、解析サーバ３の肌状態解析処理について説明する。
【０２５０】
図５１の処理は、肌測定器２を用いて撮影された肌画像がライフログとともに情報処理端末１から送信されてきたときに開始される。
【０２５１】
ステップＳ１１において、肌画像取得部４７１は、通信部４５９を制御し、情報処理端末１から送信されてきた肌画像を取得する。また、ライフログ取得部４７４は、通信部４５９を制御し、情報処理端末１から送信されてきたライフログを取得する。
【０２５２】
ステップＳ１２において、肌解析部４７２は肌画像の解析を行う。すなわち、肌解析部４７２を構成する毛穴解析部４８１、シミ解析部４８２、およびキメ解析部４８３は、それぞれ、上述したようにして毛穴、シミ、キメの状態の解析を行う。また、水分・油分解析部４８４は、水分量と油分量の解析を行う。
【０２５３】
ステップＳ１３において、ライフログ解析部４７５はライフログの解析を行い、生活習慣と気分のスコアを求める。
【０２５４】
ステップＳ１４において、解析結果取得部４７３は、肌解析部４７２による解析結果を取得し、毛穴、シミ、キメの状態のそれぞれのスコアを求める。また、解析結果取得部４７３は、ユーザの肌タイプを水分量と油分量に基づいて特定する。解析結果取得部４７３は、ライフログ解析部４７５により求められた生活習慣と気分のスコアを取得する。
【０２５５】
ステップＳ１５において、提示部４７６は、解析結果取得部４７３から供給された情報を、肌の状態の測定結果を表す情報として情報処理端末１に送信する。その後、解析サーバ３の処理は終了となる。
【０２５６】
次に、図５２のフローチャートを参照して、情報処理端末１の測定結果表示処理について説明する。
【０２５７】
ステップＳ３１において、情報処理端末１の通信制御部４３３は、解析サーバ３から送信されてきた解析結果を表す情報を受信し、取得する。
【０２５８】
ステップＳ３２において、表示制御部４３４は、通信制御部４３３により取得された情報に基づいて、図５などを参照して説明した測定結果表示画面をディスプレイ５１に表示させる。表示制御部４３４は、ユーザの操作に応じて測定結果表示画面の表示を切り替える。測定結果表示画面を閉じることが指示された場合、処理は終了となる。
【０２５９】
ユーザの生活習慣と気分の情報を測定結果表示画面に表示しない場合、生活習慣と気分の情報が解析サーバ３から情報処理端末１に対して送信されないようにしてもよい。また、ユーザの生活習慣と気分の情報が解析サーバ３から情報処理端末１に対して送信されるものの、情報処理端末１において測定結果表示画面の表示に用いられないようにしてもよい。
【０２６０】
以上の一連の処理により、ユーザは、数字や棒グラフなどが測定結果として表示される場合に比べて、直感的に、かつ簡単に自身の肌の状態を確認することができる。
【０２６１】
＜＜第２の実施の形態＞＞
図５３は、肌解析システムの他の構成例を示す図である。
【０２６２】
図５３の肌解析システムは、情報処理端末１と肌測定器２から構成される。
【０２６３】
情報処理端末１は、肌測定器２により撮影された肌画像を取得し、取得した肌画像に基づいて、ユーザの肌の状態を解析する。情報処理端末１は、解析結果に基づいて測定結果表示画面をディスプレイ５１に表示する。ライフログについても情報処理端末１により適宜取得され、生活習慣と気分の解析に用いられる。
【０２６４】
すなわち、図５３の肌解析システムは、肌の状態の解析を情報処理端末１自身が行い、測定結果表示画面を表示するものである。情報処理端末１が、肌画像の画像処理を行い、肌の状態を解析する情報処理装置として機能することになる。情報処理端末１は、図３８に示す構成と同じ構成を有する。
【０２６５】
＜＜第３の実施の形態＞＞
以上においては、測定結果表示画面に１人のユーザの肌の状態の測定結果を表す花びらチャートが表示されるものとしたが、同じ測定結果表示画面に複数人のユーザの肌の状態の測定結果を表す花びらチャートが表示されるようにしてもよい。
【０２６６】
図５４は、肌解析システムのさらに他の構成例を示す図である。
【０２６７】
図５４の例においては、情報処理端末１−１乃至１−３がネットワーク４に接続されている。当然、ネットワーク４にはさらに多くの情報処理端末が接続される。
【０２６８】
情報処理端末１−１乃至１−３は、それぞれ異なるユーザが使う端末である。図示を省略するが、情報処理端末１−１乃至１−３には、肌測定器２と同様の肌測定器が接続される。情報処理端末１−１乃至１−３は、それぞれ、ユーザの肌画像をライフログなどの情報とともに取得し、解析サーバ３に送信する。
【０２６９】
解析サーバ３は、情報処理端末１−１乃至１−３から送信されてきた情報を取得し、情報処理端末１−１乃至１−３のそれぞれのユーザの肌の状態の解析を行う。解析サーバ３は、複数のユーザの肌の状態の測定結果を表す情報を情報処理端末１−１乃至１−３に送信し、測定結果表示画面をそれぞれのディスプレイに表示させる。
【０２７０】
図５５は、測定結果表示画面の第９の表示例を示す図である。
【０２７１】
図５５の例においては、４人のユーザの肌の状態の測定結果を表す４つの花びらチャート６０１乃至６０４が表示されている。花びらチャート６０１乃至６０４の下にはそれぞれ茎画像６０１Ａ乃至６０４Ａが表示される。
【０２７２】
このように、複数のユーザの肌の状態の測定結果を表す花びらチャートが同じ画面に表示されることにより、ユーザは、自分の肌の状態を他のユーザの肌の状態と比べることができる。また、肌の状態がよいほど花が大きく表示されることから、全員で花を大きく成長させてきれいな花畑を作ることを共通の目標として仲間意識が働き、肌のケアのモチベーションを保つことができる。
【０２７３】
花びらチャートと茎画像だけでなく、根画像などを用いて、それぞれのユーザの生活習慣と気分の情報を表示することも可能である。これにより、ユーザは、肌の状態が良い他のユーザの生活習慣や気分を参考にすることができる。
【０２７４】
図５５に示す測定結果表示画面が表示されている状態で所定の操作を行うことにより、測定結果表示画面全体や自分の肌の状態を表す花びらチャートをアイコン等の画像に変換して保存することができるようにしてもよい。
【０２７５】
図５６は、測定結果表示画面の第１０の表示例を示す図である。
【０２７６】
図５６の例においては、画面の右から大きい順に、４人のユーザの肌の状態の測定結果を表す４つの花びらチャート６１１乃至６１４が並べて表示されている。花びらチャート６１１乃至６１４の下にはそれぞれ茎画像６１１Ａ乃至６１４Ａが表示される。
【０２７７】
図５６の測定結果表示画面は、肌の状態の順位を花びらチャートの大きさで表す画面である。例えば、それぞれの花びらチャートの近傍にはユーザの識別情報が表示される。解析サーバ３は、複数のユーザの肌の状態の解析結果に基づいて順位を設定し、設定した順位に従ってそれぞれの花びらチャートを表示させることになる。それぞれの花びらチャートは静止画として表示されるようにしてもよいし、アニメーションによって表示されるようにしてもよい。
【０２７８】
図５７は、測定結果表示画面の第１１の表示例を示す図である。
【０２７９】
図５７の例においては、８人のユーザの肌の状態の測定結果を表す８つの花びらチャートが表示されている。３つの花びらチャートが画面左方にまとめて表示され、４つの花びらチャートが画面右方にまとめて表示されている。残りの１つの花びらチャートは、画面の中央下方に表示されている。
【０２８０】
例えば、似ている測定結果を表す花びらチャートが近くに配置されるといったように、それぞれの花びらチャートは測定結果に応じた位置に表示される。解析サーバ３は、複数のユーザの肌の状態の解析結果に基づいてグループ分けを行い、それぞれの花びらチャートの表示位置を決定することになる。測定結果の類似度ではなく、生活習慣や気分が似ているユーザの測定結果を近くに配置するといったように、グループ分けの基準は任意に変更可能である。
【０２８１】
＜＜変形例＞＞
＜１．他の機器における表示例＞
以上においては、測定結果表示画面がタブレット型の端末である情報処理端末１に表示される場合について説明したが、他の端末のディスプレイに測定結果表示画面を表示させることも可能である。
【０２８２】
図５８は、携帯電話機における表示例を示す図である。
【０２８３】
図５８の例においては、花びらチャートを含む画像がいわゆるスマートホンのディスプレイに表示されている。図５８に示す画像は、花芯領域１１１が設けられていない点を除いて、図１１の画像と同様の画像である。
【０２８４】
図５９乃至図６２は、携帯電話機における他の表示例を示す図である。
【０２８５】
図５９乃至図６１の例においては、正面を向いている人物の顔のイラスト６１（図５）とともに、花びらチャートが表示されている。イラスト６１の額、頬、口元にはそれぞれの位置の肌年齢を表すアイコンが表示されている。ユーザは、花びらチャートを、それぞれの位置の肌年齢と並べて見ることができる。
【０２８６】
一方、図６２の例においては、複数の花びらチャートがユーザの肌タイプ毎にまとめて表示されている。
【０２８７】
このように、1人のユーザの測定結果を表す花びらチャートを含む測定結果表示画面だけでなく、複数のユーザの測定結果を表す花びらチャートを含む測定結果表示画面を携帯電話機のディスプレイに表示することも可能である。また、複数のユーザの測定結果を表す花びらチャートを含む例えば図６２の測定結果表示画面を、後述する、図６６の投影システムのスクリーンユニットや、図６７の大型のディスプレイに表示させるようにすることも可能である。
【０２８８】
図６３は、肌測定器２における表示例を示す図である。
【０２８９】
肌測定器２に小型のディスプレイが設けられている場合、図６３に示すように、肌測定器２のディスプレイに花びらチャートを表示させるようにしてもよい。図６３に示す花びらチャートは図２４Ａの花びらチャートである。
【０２９０】
図６３の花びらチャートが、解析サーバ３から送信されてきた情報に基づいて表示されるようにしてもよいし、肌測定器２に予め記録されている情報に基づいて表示されるようにしてもよい。後者の場合、肌測定器２には図３８の構成と同じ構成が設けられ、肌測定器２において肌画像の解析が行われることによって得られた情報に基づいて花びらチャートの表示が行われる。
【０２９１】
図６４は、腕時計型の携帯端末における表示例を示す図である。
【０２９２】
図６４に示すように、腕時計型の携帯端末に設けられた円形のディスプレイに花びらチャートを表示させるようにしてもよい。図６４に示す花びらチャートは図２５Ｂの花びらチャートである。図６４に示す腕時計型の携帯端末は、画像の表示機能の他に、通信機能を有している。
【０２９３】
図６４の花びらチャートが、解析サーバ３から送信されてきた情報に基づいて表示されるようにしてもよいし、腕時計型の携帯端末に予め記録されている情報に基づいて表示されるようにしてもよい。後者の場合、腕時計型の携帯端末には図３８の構成と同じ構成が設けられ、腕時計型の携帯端末において肌画像の解析が行われることによって得られた情報に基づいて花びらチャートの表示が行われる。
【０２９４】
図６５は、指輪型の携帯端末における表示例を示す図である。
【０２９５】
図６５の指輪型の携帯端末は、図６５に示すようにユーザが指に装着して用いる端末である。図６５に示すように、指輪型の携帯端末に設けられた円形のディスプレイに花びらチャートを表示させることも可能である。図６４に示す腕時計型の携帯端末と同様に、図６５に示す指輪型の携帯端末も、画像の表示機能の他に、通信機能を有している。
【０２９６】
図６５の花びらチャートが、解析サーバ３から送信されてきた情報に基づいて表示されるようにしてもよいし、指輪型の携帯端末に予め記録されている情報に基づいて表示されるようにしてもよい。後者の場合、指輪型の携帯端末には図３８の構成と同じ構成が設けられ、指輪型の携帯端末において肌画像の解析が行われることによって得られた情報に基づいて花びらチャートの表示が行われる。
【０２９７】
図６６は、投影システムにおける表示例を示す図である。
【０２９８】
図６６に示す投影システムは、撮影ユニット（肌測定器２）、いわゆるラップトップ型のPCである電子計算ユニット、プロジェクターである投影ユニット、およびスクリーンユニットから構成される。
【０２９９】
撮影ユニットは、肌画像の撮影に用いられる。電子計算ユニットは、撮影ユニットにより撮影された肌画像を解析することによって、ユーザの肌の状態を測定し、測定結果表示画面を表示部に表示するとともに、測定結果表示画面のデータを投影ユニットに出力する。投影ユニットは、電子計算ユニットの表示部に表示された画面と同じ画面を、電子計算ユニットから供給されたデータに基づいてスクリーンユニットに投影する。撮影ユニットと電子計算ユニット、電子計算ユニットと投影ユニットは、図６６に示すようにそれぞれ接続して用いられる。
【０３００】
図６６に示すように、スクリーンユニットに花びらチャートを含む測定結果表示画面を表示させることも可能である。図６６のスクリーンユニットに表示されている測定結果表示画面は、図５７を参照して説明した測定結果表示画面である。撮影ユニットと投影ユニットを直接接続して用いるようにすることも可能である。この場合、例えば、撮影ユニットは、肌画像をネットワーク４を介して解析サーバ３に送信し、解析サーバ３から送信されてきた測定結果を表す情報を受信する。撮影ユニットは、測定結果表示画面のデータを投影ユニットに出力し、測定結果表示画面をスクリーンユニットに表示させる。
【０３０１】
なお、図６６の投影システムは、それを構成する４つのユニットを一体として販売され、美容院、エステサロン、百貨店の化粧品売り場などに設置される。
【０３０２】
図６７は、画像表示機における表示例を示す図である。
【０３０３】
図６７の画像表示機は、大型のディスプレイを有しており、例えば大勢の人の目に付く建物や駅の構内などに設置される。図６７に示すように、大型のディスプレイに花びらチャートを含む測定結果表示画面を表示させるようにしてもよい。図６７に示す測定結果表示画面は、図５６を参照して説明したように、花びらチャートを所定の順に並べて表示する画面である。図６７に示す画像表示機は、画像の表示機能の他に、通信機能を有している。
【０３０４】
図６７の測定結果表示画面が、解析サーバ３から送信されてきた情報に基づいて表示されるようにしてもよいし、画像表示機に予め記録されている情報に基づいて表示されるようにしてもよい。後者の場合、画像表示機には図３８の構成と同じ構成が設けられ、画像表示機において肌画像の解析が行われることによって得られた情報に基づいて花びらチャートの表示が行われる。
【０３０５】
＜２．その他の例＞
【０３０６】
以上のような花びらチャートと測定結果表示画面の各種の表示は任意に組み合わせ可能である。例えば、図１１を参照して説明した花芯領域１１１を、図２４および図２５の花びらチャートに表示させることが可能である。また、図２４および図２５に示す花びらチャートを構成する花びら領域の数を、図１６を参照して説明したようにして適宜切り替えることができるようにしてもよい。さらに、同じ画面に図２４および図２５に示す複数の花びらチャートを表示させるようにしてもよい。
【０３０７】
図１７を参照して説明した、表示開始直後におけるスコア画像のアニメーションを、他の花びらチャートのスコア画像の表示に適用することも可能である。図５８乃至図６７の各物品のディスプレイに表示する花びらチャートを他の花びらチャートに変更することも可能である。
【０３０８】
以上においては、肌画像を撮影するための機器として肌測定器２が用いられる場合について説明したが、情報処理端末１に搭載されたカメラ４１６によって肌画像を撮影することができるようにしてもよい。
【０３０９】
以上においては、顔の肌の状態を解析する場合について説明したが、解析の対象となる肌の部分は、手、腕、足などの、顔以外の部分であってもよい。
【０３１０】
・プログラムについて
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、汎用のパーソナルコンピュータなどにインストールされる。
【０３１１】
インストールされるプログラムは、光ディスク（CD-ROM(Compact Disc-Read Only Memory)，DVD(Digital Versatile Disc)等）や半導体メモリなどよりなる図３５に示されるリムーバブルメディア４２１に記録して提供される。また、ローカルエリアネットワーク、インターネット、デジタル放送といった、有線または無線の伝送媒体を介して提供されるようにしてもよい。プログラムは、ROM４１２やメモリ４１８に、あらかじめインストールしておくことができる。
【０３１２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０３１３】
なお、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０３１４】
本明細書に記載された効果はあくまで例示であって限定されるものでは無く、また他の効果があってもよい。
【０３１５】
本技術の実施の形態は、上述した実施の形態に限定されるものではなく、本技術の要旨を逸脱しない範囲において種々の変更が可能である。
【０３１６】
例えば、本技術は、１つの機能をネットワークを介して複数の装置で分担、共同して処理するクラウドコンピューティングの構成をとることができる。
【０３１７】
また、上述のフローチャートで説明した各ステップは、１つの装置で実行する他、複数の装置で分担して実行することができる。
【０３１８】
さらに、１つのステップに複数の処理が含まれる場合には、その１つのステップに含まれる複数の処理は、１つの装置で実行する他、複数の装置で分担して実行することができる。
・構成の組み合わせ例
本技術は、以下のような構成をとることもできる。
【０３１９】
（１）
ユーザの肌の状態の測定結果を表す情報を取得する取得部と、
前記測定結果の複数の項目がそれぞれ割り当てられた同一形状かつ同一サイズの複数の領域を所定の位置を中心として各方向に配置するとともに、それぞれの前記領域の内側に、前記項目のスコアを表すスコア画像を、スコアに応じたサイズを有し、前記所定の位置から膨出するように配置することによって構成されるチャート画像を表示させる提示部と
を備える情報処理装置。
（２）
前記提示部は、それぞれの前記領域の内側に配置する前記スコア画像をそれぞれ異なる色で表示させる
前記（１）に記載の情報処理装置。
（３）
前記提示部は、異なるスコアを表す前記スコア画像の形状をほぼ相似形状として前記チャート画像を表示させる
前記（１）または（２）に記載の情報処理装置。
（４）
前記提示部は、基準となるスコアを表す情報をそれぞれの前記領域の内側に配置した前記チャート画像を表示させる
前記（１）乃至（３）のいずれかに記載の情報処理装置。
（５）
前記提示部は、前記測定結果に含まれる所定の情報の表示領域を中心として前記複数の領域を配置した前記チャート画像を表示させる
前記（１）乃至（４）のいずれかに記載の情報処理装置。
（６）
前記提示部は、前記ユーザの肌の状態の総合評価を表す情報を前記表示領域に表示させる
前記（５）に記載の情報処理装置。
（７）
前記提示部は、スコアを表示させる前記項目の数が切り替えられることに応じて、前記チャート画像を構成する前記領域の数を切り替える
前記（１）乃至（６）のいずれかに記載の情報処理装置。
（８）
前記提示部は、複数の前記チャート画像を測定順に並べて表示させる
前記（１）乃至（７）のいずれかに記載の情報処理装置。
（９）
前記提示部は、前記チャート画像を、前記ユーザの肌の状態の総合評価に応じた高さの棒状の画像の上方に表示させる
前記（８）に記載の情報処理装置。
（１０）
前記提示部は、前記チャート画像を、前記ユーザの生活習慣に関する情報とともに表示させる
前記（１）乃至（９）のいずれかに記載の情報処理装置。
（１１）
前記提示部は、前記ユーザの肌の状態の総合評価に応じた高さを有する棒状の画像の上に配置した前記チャート画像を、領域の境界を表す境界画像の上方に表示させ、前記棒状の画像の延長上の前記境界画像を挟んだ位置に、前記ユーザの生活習慣を棒グラフで表したグラフ画像を表示させる
前記（１０）に記載の情報処理装置。
（１２）
前記提示部は、それぞれ異なるユーザの肌の状態の測定結果を表す複数の前記チャート画像を同一画面に表示させる
前記（１）乃至（１１）のいずれかに記載の情報処理装置。
（１３）
前記提示部は、複数の前記チャート画像を、肌の状態の前記測定結果がよい順に並べて表示させる
前記（１２）に記載の情報処理装置。
（１４）
前記チャート画像を構成する前記領域は、略花びら形状の領域である
前記（１）乃至（１３）のいずれかに記載の情報処理装置。
（１５）
ユーザの肌の状態の測定結果を表す情報を取得し、
前記測定結果の複数の項目がそれぞれ割り当てられた同一形状かつ同一サイズの複数の領域を所定の位置を中心として各方向に配置するとともに、それぞれの前記領域の内側に、前記項目のスコアを表すスコア画像を、スコアに応じたサイズを有し、前記所定の位置から膨出するように配置することによって構成されるチャート画像を表示させる
ステップを含む情報処理方法。
（１６）
ユーザの肌の状態の測定結果を表す情報を取得し、
前記測定結果の複数の項目がそれぞれ割り当てられた同一形状かつ同一サイズの複数の領域を所定の位置を中心として各方向に配置するとともに、それぞれの前記領域の内側に、前記項目のスコアを表すスコア画像を、スコアに応じたサイズを有し、前記所定の位置から膨出するように配置することによって構成されるチャート画像を表示させる
ステップを含む処理をコンピュータに実行させるプログラム。
【符号の説明】
【０３２０】
１  情報処理端末，  ２  肌測定器，  ３  解析サーバ，  ５１  ディスプレイ，  ４３１  肌画像取得部，  ４３２  ライフログ取得部，  ４３３  通信制御部，  ４３４  表示制御部，  ４７１  肌画像取得部，  ４７２  肌解析部，  ４７３  解析結果取得部，  ４７４  ライフログ取得部，  ４７５  ライフログ解析部，  ４７６  提示部，  ４８１  毛穴解析部，  ４８２  シミ解析部，  ４８３  キメ解析部，  ４８４  水分・油分解析部
【図１】
0006566240.tif 000004
【図２】
0006566240.tif 000005
【図３】
0006566240.tif 000006
【図４】
0006566240.tif 000007
【図５】
0006566240.tif 000008
【図６】
0006566240.tif 000009
【図７】
0006566240.tif 000010
【図８】
0006566240.tif 000011
【図９】
0006566240.tif 000012
【図１０】
0006566240.tif 000013
【図１１】
0006566240.tif 000014
【図１２】
0006566240.tif 000015
【図１３】
0006566240.tif 000016
【図１４】
0006566240.tif 000017
【図１５】
0006566240.tif 000018
【図１６】
0006566240.tif 000019
【図１７】
0006566240.tif 000020
【図１８】
0006566240.tif 000021
【図１９】
0006566240.tif 000022
【図２０】
0006566240.tif 000023
【図２１】
0006566240.tif 000024
【図２２】
0006566240.tif 000025
【図２３】
0006566240.tif 000026
【図２４】
0006566240.tif 000027
【図２５】
0006566240.tif 000028
【図２６】
0006566240.tif 000029
【図２７】
0006566240.tif 000030
【図２８】
0006566240.tif 000031
【図２９】
0006566240.tif 000032
【図３０】
0006566240.tif 000033
【図３１】
0006566240.tif 000034
【図３２】
0006566240.tif 000035
【図３３】
0006566240.tif 000036
【図３４】
0006566240.tif 000037
【図３５】
0006566240.tif 000038
【図３６】
0006566240.tif 000039
【図３７】
0006566240.tif 000040
【図３８】
0006566240.tif 000041
【図３９】
0006566240.tif 000042
【図４０】
0006566240.tif 000043
【図４１】
0006566240.tif 000044
【図４２】
0006566240.tif 000045
【図４３】
0006566240.tif 000046
【図４４】
0006566240.tif 000047
【図４５】
0006566240.tif 000048
【図４６】
0006566240.tif 000049
【図４７】
0006566240.tif 000050
【図４８】
0006566240.tif 000051
【図４９】
0006566240.tif 000052
【図５０】
0006566240.tif 000053
【図５１】
0006566240.tif 000054
【図５２】
0006566240.tif 000055
【図５３】
0006566240.tif 000056
【図５４】
0006566240.tif 000057
【図５５】
0006566240.tif 000058
【図５６】
0006566240.tif 000059
【図５７】
0006566240.tif 000060
【図５８】
0006566240.tif 000061
【図５９】
0006566240.tif 000062
【図６０】
0006566240.tif 000063
【図６１】
0006566240.tif 000064
【図６２】
0006566240.tif 000065
【図６３】
0006566240.tif 000066
【図６４】
0006566240.tif 000067
【図６５】
0006566240.tif 000068
【図６６】
0006566240.tif 000069
【図６７】
0006566240.tif 000070